(57)【要約】【課題】ＴＶ画面を見ながら、幾つかの操作設定画面の指示にしたがって、リモコンで操作指令入力を行うＡＶ機器において、操作設定画面に対する音声ガイドを使用者の熟練度に応じて、タイミングよく行うことが難しかった。【解決手段】操作設定画面に対応した予め決められたデジタル音声信号データをデコードし、音声を出力する第１の音声出力ステップと、音声を出力中に前記リモコンからの操作指令入力があれば、前記デコード及び音声出力を停止し、操作指令入力に対応した処置を実行する実行ステップと、音声を出力中に操作指令入力がなく、前記音声信号データのデコードが終了すれば、予め決められた音声ガイドメッセージのデジタル音声信号データをデコードし、音声ガイドメッセージの音声を出力する第２の音声出力ステップとを有する。【選択図】図４
2007065445.tif 000002
【特許請求の範囲】
【請求項１】
操作画面を見ながらリモコン操作で機器の設定をする際、設定画面に対応した予め決められたデジタル音声信号データをデコードし、音声を出力するする第１の音声出力ステップと、音声を出力中に前記リモコンからの操作指令入力があれば、前記デコード及び音声出力を停止し、操作指令入力に対応した処置を実行する実行ステップと、音声を出力中に操作指令入力がなく、前記音声信号データのデコードが終了すれば、予め決められた音声ガイドメッセージのデジタル音声信号データをデコードし、音声ガイドメッセージの音声を出力する第２の音声出力ステップとを有する音声ガイド方法。
【請求項２】
前記実行ステップは、音声ガイド開始ボタン入力により、何時でも前記設定画面に対応した予め決められた音声ガイドメッセージの音声信号データをデコードし、音声ガイドメッセージの音声を出力するステップを含む請求項１に記載の音声信号ガイド方法。
【請求項３】
前記デジタル音声信号データは圧縮されたデジタルデータであることを特徴とする請求項１または請求項２に記載の音声ガイド方法。
【請求項４】
機器の設定操作をする際に、その設置画面に対応した予め決められた時間Ｔｓ間無音又は某の音が入ったデジタル音声信号データＤｓ、前記設置画面に対応した予め決められた前記Ｔｓより長い時間Ｔｍ間無音又は某の音が入ったデジタル音声信号データＤｍ、並びに前記設置画面に対応した操作を説明する幾つかの音声ガイドメッセージのデジタル音声信号データが所定のアドレスにメモリーされたＲＯＭ（Ｒｅａｄ  Ｏｎｌｙ  Ｍｅｍｏｒｙ）と、読み書き可能なＲＡＭ（Ｒａｎｄｏｍ  Ａｃｃｅｓｓ  Ｍｅｍｏｒｙ）と、幾つかの操作ボタンを有するリモコン等を用いた操作指令入力手段と、前記デジタル音声信号データをデコードし、音声信号を得るデコーダと、予め決められたプログラムに従って前記ＲＯＭの音声データを前記ＲＡＭに展開し、前記デコーダにて音声信号を出力させるまでのコントロールを行うコントローラとを有する電子機器。
【請求項５】
前記デジタル音声データは前記ＲＯＭおよび内蔵ＨＤＤ（Ｈａｒｄ  Ｄｉｓｋ  Ｄｒｉｖｅ）にメモリーされていることを特徴とする請求項４に記載の電子機器。
【請求項６】
ＨＤＤ動作立ち上がりまでにＨＤＤが出力できない音声ガイドメッセージ分の音声データおよび前記デジタル音声データの必須部分をＲＯＭにメモリーさせておくことを特徴とする請求項５に記載の電子機器。
【請求項７】
前記操作指令入力手段は音声ガイドを始めるための音声ガイド開始ボタンを有するリモコンを備え、画面が操作画面に切り替わると同時に、その操作内容に対応した音声ガイドメッセージの音声信号データを前記ＲＯＭ、または前記ＲＯＭおよび内蔵ＨＤＤより前記ＲＡＭに呼び出し、必要に応じて前記音声ガイド開始ボタンを押せば前記音声ガイドメッセージを聞くことができ、音声ガイドガイドメッセージがなされている最中に、前記操作入力手段からの操作指令入力があればその時点で、前記音声出力を停止し、操作が実行されることを特徴とする請求項４から請求項６のいずれかの請求項に記載の電子機器。
【請求項８】
前記音声ガイド開始ボタンを押し音声ガイドメッセージを聞いている時に前記音声ガイド開始ボタンを押せば、最初から同じ音声ガイドメッセージを出力することを特徴とする請求項５に記載の電子機器。
【請求項９】
前記音声ガイド開始ボタンにある音声ガイドを表す図形と同じ図形を音声ガイドが行える設定画面にも設けることを特徴とする請求項５に記載の電子機器。  
【請求項１０】
前記デジタル音声信号データは圧縮されたデジタルデータであることを特徴とする請求項４から請求項９のいずれかの請求項に記載の電子機器。
【発明の詳細な説明】
【技術分野】
【０００１】
本発明はＴＶ画面の操作指示を見ながらＡＶ機器を操作する際に、操作方法に関する音声ガイドメッセージを出力したり、停止したりするタイミングをコントロールして、使用者に対して操作の簡便化をはかる音声ガイド方法及びその方法を用いた電子機器に関するものである。
【背景技術】
【０００２】
最近のビデオレコーダー等においては、その機器の設置設定、タイマー予約の設定等における設定操作はＴＶ画面の操作指示及び操作説明文を見、且つ読みながら、操作入力ボタンを備えたリモコン等を用いて行われてきている。たとえばＤＶＤレコーダーの設置設定は購入者が最初に行う必要がある。しかしながら、このようなＡＶ機器に慣れていない購入者はどのようにすればよいか、どの釦を押せばよいかわからない場合がある。まず設置設定のような場合は画面上には説明文はあるが、読むと同時に音声で説明文を読み上げガイドをしてあげればスムーズに操作がおこなえるようになると考えられ、既にそのような機能を備えた機器が多くある。ところがタイマー録画の設定などはいきなり設定操作画面が出てもどのように設定を行えばよいか初心者には分からない場合がある。この時画面上の説明文及び指示だけでは理解が遅く分かりにくい。その時、音声ガイドがあれば理解が早く操作がスムーズに行えると考えられる。だんだん慣れてくると音声のガイドは要らなくなることも考えられる。本発明はこれらのことを考慮して、効果的に音声ガイダンスを行おうとするものである。
【０００３】
コンピュータ等の操作をする場合、順次、操作の案内をするための音声ガイドに関するもので、ガイドの内容に応じてガイドを始めるタイミングを調整し、習熟度に応じてガイドを聞かなくても操作ができる情報処理方法に関するものがある（例えば、特許文献１参照。）。本発明はコンピュータのような複雑な操作でなく、前記したようにＤＶＤ、ＨＤＤ等を用いたビデオレコーダーにおいて、ＴＶ画面に提示される操作画面に対応して、操作方法の音声ガイダンスを適切に行い、使用者に対して操作の簡便性を与える音声ガイド方法及びその方法で音声ガイドを行う電子機器である。
【特許文献１】特許第２６６１７０１号公報
【発明の開示】
【発明が解決しようとする課題】
【０００４】
本発明は、これらを実現する方法として、特許文献１のようにガイド内容に応じて音声ガイド開始タイミングをコントロールシステムではなく、音声信号データを順次デコードしながらタイミングよく音声ガイドを行う音声ガイド及びそれを行う電子機器を提供するものである。
【課題を解決するための手段】
【０００５】
本発明はＴＶ画面を見ながら機器の設定操作をするシステムにおいて、その設置画面に対応した予め決められた時間Ｔｓ間無音又は某の音が入ったデジタル音声信号データＤｓ、前記設置画面に対応した予め決められた前記Ｔｓより長い時間Ｔｍ間無音又は某の音が入ったデジタル音声信号データＤｍ、並びに前記設置画面に対応した操作を説明する幾つかの音声ガイドメッセージのデジタル音声信号データＤ１、Ｄ２…Ｄｈ…Ｄｋ…Ｄｎが所定のアドレスに記憶されたＲＯＭ（Ｒｅａｄ  Ｏｎｌｙ  Ｍｅｍｏｒｙ）、またはＲＯＭおよび内蔵ＨＤＤ（Ｈａｒｄ  Ｄｉｓｋ  Ｄｒｉｖｅ）と、読み書き可能なＲＡＭ（Ｒａｎｄｏｍ  Ａｃｃｅｓｓ  Ｍｅｍｏｒｙ）と、幾つかの操作ボタンを有するリモコン等を用いた操作指令入力手段と、前記デジタル音声信号データをデコードし、音声信号を得るデコーダと、予め決められたプログラムにしたがって前記ＲＯＭ、またはＲＯＭおよびＨＤＤのデータを前記ＲＡＭに展開し、前記デコーダにて音声信号を出力させるまでのコントロールを行うコントローラとを有し、ＴＶ画面が操作画面に切り替わると同時に前記コントローラによって、前記プログラムに従い、前記ＲＯＭ、またはＲＯＭおよびＨＤＤからその操作内容に対応した前記音声信号データＤｓ又はＤｍを選択し、続いて操作内容に対応した音声ガイドメッセージの音声信号データをＤ１、Ｄ２…Ｄｈ…Ｄｋ…Ｄｎの中から選択し、前記ＲＡＭに展開し、操作画面に切り替わると同時に前記音声信号データＤｓ又はＤｍを先頭に、続いて前記選択された操作内容に対応した音声ガイドメッセージの音声信号データを定められた順序で前記ＲＡＭより読み出し、それらのデータを音声信号にデコードして、音声として出力する際に、前記音声信号データＤｓに続いて音声ガイドメッセージの音声信号データＤｈを前記ＲＡＭより読み出し、デコードして、音声を出力し、前記音声ガイドメッセージの音声が出力されている最中においては、前記操作指令入力手段からの操作指令入力があればその時点で音声出力を停止し、操作入力に対応する機能が実行され、また、前記音声信号データＤｍを前記ＲＡＭより読み出し、デコードして、音声を出力している最中においては、前記操作指令入力手段からの操作指令入力があればその時点で音声出力を停止し、操作入力がなければ音声信号データＤｍのデコード終了後、前記音声ガイドメッセージの音声信号データＤｋを前記ＲＡＭより読み出し、デコードして、音声を出力し、前記音声ガイドメッセージの音声が出力されている最中に、前記操作指令入力があればその時点で音声出力を停止し、操作入力に対応する機能が実行されるように構成したものである。
【０００６】
さらにまた本発明は前記操作指令入力手段において、音声ガイドを始めるための音声ガイド開始ボタン（音声ガイドボタン）を有するリモコンを備え、ＴＶ画面が操作画面に切り替わると同時に、その操作内容に対応した音声ガイドメッセージの音声信号データを前記ＲＯＭ、またはＲＯＭおよびＨＤＤより前記ＲＡＭに呼び出し、必要に応じて前記音声ガイドボタンを押せば前記音声ガイドメッセージを聞くことができる。そして、音声ガイドメッセージがなされている最中に、前記操作入力手段からの操作入力があればその時点で、前記音声出力を停止し、操作が実行されるように構成したものである。
【０００７】
そしてさらに本発明は前記音声ガイドボタンを押し、音声ガイドメッセージを聞いている最中に前記音声ガイドボタンを押せば、最初から同じ音声ガイドメッセージを出力するように構成したものである。
【発明の効果】
【０００８】
本発明はビデオレコーダー等の機器において、ＴＶ画面を見ながら機器の操作を行う場合、その機器の使用者特に初心者はどの操作ボタンを押せばいいのか迷ってしまうことがある。その際適切に音声ガイドを行うと操作が行いやすい。しかし、操作画面が出ると直に音声ガイドを行うと既に慣れてしまっている使用者にとっては煩く感じるので、間合い（６秒程度）をおいて音声ガイドを行えばよい。その間及び音声ガイドを行っている最中において、操作指令入力があった場合は、音声ガイドを停止して、操作指令を実行すればよい。また、操作画面がでると、少しの間合い（１秒程度）をもって必ず音声ガイドを行った方が分かりやすい場合もある。本発明は、コントローラによって、ＲＯＭに記憶された複数の音声データを操作画面に応じて読み書き可能なメインメモリー（ＲＡＭ）に展開し、順次、デコードしながら、操作入力ボタンの指令に応じて、画面に対応した前記デコードされた音声出力の開始、また停止並びに操作画面の変更をコントロールする操作の簡便性を得る音声ガイド方式である。以下のような発明の効果を有する。
（１）  ビデオレコーダーの各種設定に際して、初心者にとっては、分かり易く。熟練者にとっては煩わしくない音声ガイドシステムが得られる。
（２）  操作画面と音声ガイドの出力タイミングのマッチングにより、各種設定の操作がわかりやすくなる。
（３）  いつでも必要な音声ガイダンスが受けられる。
【０００９】
また、設定画面に応じて前記音声ガイドを行うまでの間合いを無音または某の音の音声データで構成し、音声ガイドメッセージの音声も音声データで構成することにより、それら音声データのデコードと操作指令入力との関係を制御するだけで、システムが構成でき、複雑なタイミング制御等を必要としない有利な作用・効果も有する。
【発明を実施するための最良の形態】
【００１０】
以下、本発明の実施の形態について、図１から図１０を用いて説明する。図１は本発明からなる実施の形態のシステム全体図である。図２及び図３は音声ガイドを行う時のＴＶに表示される画面例である。図４は、本発明からなる実施の形態の回路ブロック図である。図５は図４の回路ブロック図に示す読み出し専用のＲＯＭメモリーに記憶されている複数の音声信号データテーブルとそのデータの音声ガイド内容を示すものである。図６は本発明からなる音声ガイドシステムのフローチャートである。図７は各種設定を行う際の最初に現れる画面例であり、図８は設置設定の最初の画面例である。図９はタイマー予約画面の最初の設定画面例である。図１０はタイマー予約の新規予約画面例である。
【００１１】
図１において、１０１は本発明からなる音声ガイド機能付きビデオレコーダーである。最近ではビデオレコーダーと言えばＨＤＤ付きＤＶＤレコーダーが主流となっている。１０２はリモコンであり、ビデオレコーダー１０１を操作するための第１の操作指令ボタン群１０８及び第２の操作指令ボタン群１０９を有している。１０３はＴＶモニター（以下ＴＶと略す）であり、ビデオレコーダー１０１と接続ケーブル１０４で接続されている。ビデオレコーダー１０１から映像信号および音声信号が出力され、ＴＶ１０３にて、ビデオレコーダー１０１から接続ケーブル１０４を介して送られた画像を見、音声を聞くことができる。
【００１２】
ビデオレコーダー１０１はＴＶ放送を録画し、後ほどそれを再生して見るための機器であるがＤＶＤソフトも再生できる。ＴＶ放送録画のため、内部に選局のためのチューナー及び復調器を有している。そして記録したい番組を予約して記録できる機能や記録した番組を直に探し出し再生する機能等がある。
【００１３】
前記の機能をビデオレコーダー１０１に行わせるため、ビデオレコーダー１０１の利用者はリモコン１０２を用いて指令を与える。すなわち、リモコン上面のボタンを押せば、リモコン１０２からは赤外光線が発せられ、ビデオレコーダー１０１の赤外光線受光部１０７にて受光し、ビデオレコーダー１０１の操作及び設置設定等が行える。リモコン１０２の第２の操作指令ボタン群１０９にはボタンの上やすぐ傍にそれを押せば行える機能を示す文字又は図形（アイコン）が描かれている。記録、再生、早送り、巻戻し等の基本操作はユニバーサルなアイコンが使われる。ビデオレコーダー１０１の前面には操作ボタン１０６があり、リモコン１０２がなくても前記基本操作ができるようになっている。なお、１０５は記録媒体であるＤＶＤ装着トレー開口部である。番組予約等を行うための第１の操作指令ボタン群１０８はボタン上に指示方向を示すような△印や機能そのものを意味する文字等が描かれている。これらのボタンはＴＶ画面を見ながら、操作を行う場合に使用される。画面上にある機能が表示された個所を選択するための△印の選択ボタン、指定個所に表示された機能を実行させる決定ボタンなどがある。ＴＶ１０３の画面１１０にはビデオレコーダー１０１の設置設定の操作画面を示している。この画面を拡大して示したものが図２である。前記した接続されているＴＶモニター１０３が標準テレビなのかワイドテレビなのかによって、接続ケーブルを通してＴＶモニター１０３に送るビデオ信号のアスペクト比を合わせる必要がある。そのための設置設定画面が図２である。図２の画面２００には、２０１に示すように「接続するテレビを選び、決定ボタンを押してください。」と言う文章がある。利用者はこれを見てその下の指定個所２０４及び２０５に示されている標準テレビかワイドテレビを選ぶ。デフォルト値が標準テレビであるので標準テレビの指定個所２０４が色付きになっている。接続されているＴＶが標準ＴＶであれば、この状態で決定ボタンを押せば、設定が完了する。もしワイドテレビが接続されている場合には、リモコンにある下向きの△印の選択ボタンを押せば、今度はワイドテレビの指定個所２０５が色付きになる。このようにして接続テレビを選んでリモコン１０２にある決定ボタンを押せば設定が終了する。なお、画面２００の下の方にはリモコンのどのボタンを押せばよいかを示すため、リモコンにあると同じ選択ボタンと決定ボタンが２０６に示されている。
【００１４】
以上の設定により、ビデオレコーダーからは設定にあわせたアスペクト比のビデオ信号が出力される。
【００１５】
図３はタイマー予約画面を示すものである。タイマー予約は周知のように記録したい番組の月日、ＣＨ（チャネル）、開始時刻、終了時刻、記録先、記録モードを指定し、記録したい番組を予約することにある。
【００１６】
タイマー予約画面３００において、設定個所３０１は前記記録したい番組の月日、設定個所３０２はＣＨ（チャネル）、設定個所３０３は開始時刻、設定個所３０４は終了時刻、設定個所３０５は記録先、設定個所３０６は記録モードをそれぞれ設定し、表示する個所である。前記記録したい番組の月日の設定個所３０１には上下に△マークがあるが、これはリモコン１０２にある前記選択ボタン（上向き下向き△印ボタン）を押せば、毎週日曜日、…、毎週土曜日、毎週月曜日〜土曜日のように週単位での設定を行うこともできることを意味している。このようにして月日又は曜日の設定が終了したら次に選択ボタン（右向き△印ボタン）を押せば右隣のＣＨの設定に移る。この時は指定個所３０２が色付きとなり、指定個所３０２の上下には前記選択ボタン（上向き下向き△印ボタン）が現れる。リモコンのこの指定ボタンを押せばＣＨを変えることができる。ＣＨが設定されたら、次にまた選択ボタン（右向き△印ボタン）を押せば開始時刻の設定に移る。この時も指定個所３０３が色付きとなり、指定個所３０３の上下には前記選択ボタン（上向き下向き△印ボタン）が現れる。リモコンのこの選択ボタンを押せば開始時刻を調整できる。以下同様な操作により、終了時刻を設定する。終了時刻の設定の次には記録モードの設定すなわち記録スピードの切り替えである。前記選択ボタン（上向き下向き△印ボタン）によって切り替え、ＸＰ（高画質）、ＳＰ（標準）、ＬＰ（長時間）並びにＥＰ（超長時間）が選べる。設定個所３０５に設定する。最右端には記録先の設定がある。この設定は記録先をＨＤＤにするかＤＶＤにするかを前記選択ボタン（上向き下向き△ボタン）によって切り替え、設定個所３０６に表示する。以上のようにしてタイマー予約ができる。
【００１７】
タイマー予約画面３００には番組の種類を表示する表示個所３０７及び３０８がある。これらには放送波から送られてくる電子番組ガイド（ＥＰＧ）と連動して、番組タイトル名が表示される。このタイトル名を変更したい場合は指定個所３０８のタイトル名入力を前記選択ボタン（右向き左向き△印ボタン）によって指定し、決定ボタンを押せば文字入力画面（図示せず）に変わるので、好みのタイトル名に変更できる。
【００１８】
以上のようにして設定がすべて終了すればタイマー予約画面３００の下に示す文章３０９の「予約を登録するには決定ボタンを押してください」の通り決定ボタンを押せば予約が完了する。
【００１９】
音声ガイドのないビデオレコーダーはこのようにＴＶ画面上の表示を見ながら操作又は設置の設定を行うことになる。これが今までのビデオレコーダーであるが本発明はこの画面の案内に加え音声によるガイドを行い使用者にさらに操作又は設置の設定を分かり易くするものである。
【００２０】
図４は本発明からなるビデオレコーダー１０１の内部の主要回路ブロック図である。４０１はビデオレコーダー全体をコントロールするマイクロコンピュータ（ＣＰＵ）からなるコントローラである。
【００２１】
４０２は操作入力部であり、リモコン１０２からの赤外線を受けて、操作指令が何であるかを解読し、データバス４１２を介して、コントローラ（ＣＰＵ）４０１に伝達する。この操作入力部４０２及びリモコン１０２を合わせて、操作指令入力手段と以下称する。４０３は前記操作指令入力手段の操作指令を受けて、特定ブロックにおいて出力を出すまでの動作手順（プログラム）がメモリーされた第１のＲＯＭ（Ｒｅａｄ  Ｏｎｌｙ  Ｍｅｍｏｒｙ）である。コントローラ（ＣＰＵ）４０１はこのプログラムに従って、各ブロックをコントロールする。４０４は前記した設定画面の文字やアイコン等のキャラクタやその他画面を構成する図形等がデジタルデータとしてメモリーされた第２のＲＯＭである。４０５は前記設定画面にあった文章の音声信号その他の音声信号がデジタルデータとしてメモリーされた第３のＲＯＭである。第３のＲＯＭ４０５には図５に示すようなそれぞれ特定されたアドレスに前記した画面上に表示された文章を音声化した音声や無音又は某の音声がデジタル音声信号データとしてメモリーされている。４０６は前記プログラムに従ってコントローラ（ＣＰＵ）４０１によって、データを書き込み読み出しするメインメモリーであるＲＡＭ（Ｒａｎｄｏｍ  Ａｃｃｅｓｓ  Ｍｅｍｏｒｙ）である。
【００２２】
４０７はＣＰＵによって、第２のＲＯＭ４０４よりＲＡＭ４０６に展開された画像デジタルデータをデコードし、図２、図３のような画面の画像信号を得る第１のデコーダ（Ｖｉｄｅｏ  Ｄｅｃｏｄｅｒ）である。４０８は前記第１のデコーダ４０７から得られる画像信号を出力する映像出力部であり、図１で示した接続ケーブル１０４にてＴＶモニター１０３と接続されている。よって、ＴＶ画面上では図２，図３で示す画面をみることができる。
【００２３】
４０９はＣＰＵ４０１によって、第３のＲＯＭ４０５よりＲＡＭ４０６に展開されたデジタル音声信号データ（以下音声データと略す）をデコードし、前記した音声信号を得る第２のデコーダ（Ａｕｄｉｏ  Ｄｅｃｏｄｅｒ）である。４１０は第２のデコーダ４０９でデコードされた音声信号を出力する音声出力部であり、図１で示した接続ケーブル１０４にてＴＶ１０３と接続されている。よってデコードされた音声がＴＶ１０３より聞くことができる。
【００２４】
４１１は記録したい番組を録画し、再生するためのデッキ部である。このデッキ部４１１にはアンテナからの放送波を選局し、記録したい番組の映像信号、音声信号を得るチューナー及び復調器、ＨＤＤ録再ユニット、ＤＶＤ録再ユニット等が含まれる。前記コントローラ（ＣＰＵ）４０１により、第１のＲＯＭ４０３にあるプログラムに従って、これらはコントロールされる。
【００２５】
なお、第３のＲＯＭ４０５にメモリーされている音声データは、詳細で多くの種類の音声ガイドを行いたい場合にはメモリーすべき音声データ量が大きくなる。それら音声データをすべて第３のＲＯＭ４０５にてメモリーさせると大きな容量のＲＯＭが必要になり、機器としてコストアップになるので、デッキ部４１１に内蔵する周知のように非常に大容量の前記ＨＤＤ録再ユニットに音声データの大部分をメモリーしておけば、第３のＲＯＭ４０５は小容量のものでもよいことになる。しかしながら前記ＨＤＤ録再ユニット定常動作になるまでの立ち上がり時間が必要なため、立ち上がり時間中に音声ガイドしなければならないような音声ガイドの音声データや、後述する無音または某の音の音声データ等の必須データは第３のＲＯＭ４０５にメモリーしておかなければならないので、必ず第３のＲＯＭ４０５は必要となる。機器としては、第３のＲＯＭ４０５だけで足りるものからＨＤＤにもメモリーして、音声ガイドをグレードアップしたものまで種々のグレードの機種が実現できる。以下、ＨＤＤに音声データがメモリーされている場合も含め、第３のＲＯＭ４０５から音声データをＲＡＭに展開することにして説明する。
【００２６】
以上が本発明からなるビデオレコーダーの内部回路ブロックの説明である。これらの回路ブロックと共に図６に示す音声ガイドシステムフローチャート６００を用いて、本発明からなる音声ガイド方式を説明する。
【００２７】
図６において処置ステップ６０１はスタート点であり、ビデオレコーダーに電源が入った時点である。この時点から第１のＲＯＭ４０３に格納されたプログラムがスタートする。処置ステップ６０２は「画面の設定及び画面」の変更である。
【００２８】
本発明は、設定画面を見ながら、ビデオレコーダーの前記初期設置設定（以下設置設定）や、デッキ部４１１によって、録画ＣＨ、録画する時のオンタイム、オフタイム時刻等を設定するタイマー予約設定（以下予約設定）等を行う場合に、便利な音声ガイド方法及びその方法を用いた電子機器である。すなわち、音声ガイドによって、ビデオレコーダーの使用者に対して、前記した設定を行う際に、リモコン１０２の選択ボタン（△印ボタン）及び決定ボタン等の操作を分かりやすくすると同時に音声ガイドが煩わしいものにならないようにするためのものである。
【００２９】
まず、設置設定の場合を説明する。ＴＶ画面において初期画面（通常受信チャネルの画面）が出ている。リモコンにおいて機能選択ボタンがあり、このボタンを押すとまず、第７図に示す設定選択画面７００がＴＶ画面に現れる。この画面は各種設定を行う最初の画面であり、選択ボタン（△印ボタン）によって機能表示個所を指定し、決定ボタンを押せばその設定モードに入る。画面７００の中のプログラムナビ７０１は記録した番組を検索し、再生する場合の設定に用いられる。タイマー予約７０２は前記したタイマー予約の設定に用いられる。番組表７０３は放送波から得られる番組表より記録したい番組の予約設定に用いられる。ダビング７０４はダビングの設定に用いられる。ぴったり録画７０５はディスクの残量により、記録番組の記録スピードを自動調整するための設定に用いられる。プレイリスト７０６は好みのチャプターを集めて、再生したい順に並べるための設定に用いられる。設置設定７０７は前記した使用ＴＶのアスペクト比に合わせるための設定や、受信チャンネルを自動的に設定するために用いられる。なお、図７の左隅に示す図形（アイコン）７０９は前記選択ボタン及び決定ボタンを示すもので、リモコンにあるこれらのボタンをおして、この画面の操作指令入力を行うことを意味している。
【００３０】
ここでは前記設置設定を行う場合とタイマー予約を行う場合を説明することとする。他の設定もこれらどちらかの設定と同様である。
【００３１】
設置設定を行う場合は、前記したようにまずリモコンの機能選択ボタンを押すと第７図に示す設定選択画面７００がＴＶ画面に出る。そして選択ボタンによって設置設定７０７を選択し、決定ボタンを押せば、ＴＶ画面は図８に示す設置設定画面８００に変わる。
【００３２】
この画面は、設置設定を開始するか中止するかを問うている。文章８０１にはタイトルの「設置設定」が示されている。最初の文章８０２の「正しくお使いいただくために、各種設定を行います。」により、これから各種設定をおこなうことをまず告げる。そして文章８０３には「付属の“かんたんガイド”で必要な接続などの準備をご確認ください。（準備がお済でない場合は、一旦電源を切り、準備完了後、再度電源を入れてください。）」と示されている。準備がＯＫならば、文章８０４の「接続等の確認ができましたら、“開始”を選び、決定ボタンを押してください。」と示されているように、選択ボタンで８０５を選び、決定ボタンを押す。そうすると各種設定の中の前記図２に示す接続ＴＶのアスペクト比の設定画面にかわる。その後は前記したような操作により接続ＴＶの設定を行うことができる。
【００３３】
図８の中で前記“開始”８０５の隣の“中止”８０６を選択し、決定ボタンを押した場合を説明する。これは文章８０３の（…）に示してあるように必要な接続などの準備がなされていない場合、この設置設定を中止して、準備を完了後、この設置設定を行うためにある。
【００３４】
以上は音声ガイドをしないで、画面だけを見ながら、設置設定の開始から接続ＴＶの設定までを行う操作方法である。これに音声ガイドをくわえ、操作を分かり易くする本発明から成る音声ガイド方法を以下にのべる。
【００３５】
前記したように図６の処理ステップ６０２は画面の設定である。前記したようにリモコンにおいて機能選択ボタンがあり、このボタンを押すとまず、図７に示す画面７００がＴＶ画面に現れる。そして前記したように設置設定７０７を選択し、決定ボタンを押せば、図８に示す設置設定画面８００に変わる。そうすると使用者はまず、画面にある文章８０２を読み、これから各種設定に入ることを認識する。そして次の文章８０３を読み、さらに次の文章８０４を読み、“開始”８０５を選択し、決定ボタンを押すことになるが、画面を見て、文字を読むことは多少面倒な面もあり、特に文字を読むのが困難方は、音声でのガイドがあれば、便利である。また、画面に書いてある文章が音声で読み上げることは理解がさらに深まる。そこでこの図８の画面に変わってからＴｓ秒（＝０．５〜３秒の定められた時間例えば１秒）経ってから文章８０２、文章８０３並びに文章８０４と同文の音声でのガイドを行う。Ｔｓ秒たってから音声ガイドを始めるのは図８の画面に示されている文章が音声として出力されていることを認識してもらうため、まず文章があることを見てもらう時間を取っている。
【００３６】
前記のように処理ブロック６０２の画面の設定によって図８に示す画面がＴＶ画面に現れると次の処理ブロック６０３の「画面に対応した音声データのＲＡＭへの展開」によって、以下のような処理が行われる。
【００３７】
図４に示す第３のＲＯＭ４０５にメモリーされている前記画面に対応する音声データを第３のＲＯＭ４０５から選択し、ＲＡＭ４０６に展開する。展開される音声データは図５に示す音声データ群５００の中において、順番に前記Ｔｓ秒間の無音又は某の音が入った音声データＤｓ、図８に示す文章８０２に対する音声データＤｆ１、文章８０３に対する音声データＤｆ２（この文章の内（準備が…ください。）の文章は音声ガイドとして必要ないので、メモリーされていない。）並びに文章８０４の音声データＤｆ３がＲＡＭ４０６に展開される。
【００３８】
処理ブロック６０３によって、ＲＡＭに展開された音声データＤｓ、Ｄｆ１、Ｄｆ２並びにＤｆ３は判断ステップ６０４に進む。判断ステップ６０４は最初にＲＡＭ４０６に展開された音声データがＤｓか、Ｄｗ（後述する）かによって、処理ルートを変えるステップである。
【００３９】
図８の設置設定の場合は前記したようにＤｓから始まるので判断ステップ６０４は（ｙｅｓ）の方向であるので次の判断ステップ６１８に入る。判断ステップ６１８は「Ｄｓをデコードし、音声を出力中か（ｎｏ）、終了したか（ｙｅｓ）」の判断をするステップである。この処理は図４の回路ブロックで言えば第２のデコーダ４０９と音声出力部４１０に相当するが、判断はコントローラ（ＣＰＵ）４０１が第１のＲＯＭ４０３にあるプログラムに従って処理する。
【００４０】
まず、判断ステップ６１８における「音声出力中か（ｎｏ）」の場合には６２９の点線内のステップに入るが、Ｄｓをデコードし、その音声を出力している期間は前記したようにＴｓ（＝１秒）であるので、この間で前記操作ボタンが押されることは殆どないと考えられる。基本的にはこの点線でかこまれたステップはなくてもよい。その場合、判断ステップ６１８は処理ステップとなり、Ｄｓをデコードして音声出力が終了した時点で次のステップ６２２に進む。ステップ６２２は音声ガイドを実行するステップであり、詳しくは後述する。
【００４１】
点線内６２９があれば以下のようなことが行える。設置に慣れた人は、画面が出てからＴｓ（＝０．５〜３秒の定められた時間例えば３秒に設定した場合）間での間に“開始”８０５を選択し、決定ボタンを押すこともできる。すなわちＤｓをデコードし、その音声を出力している期間（Ｔｓ＝３秒）において、判断ステップ６１９では「操作指令入力あり（ｙｅｓ）、なし（ｎｏ）」により、次のステップに進む。（ｙｅｓ）の場合は処理ステップ６２０の「音声出力を停止し、操作を実行する。操作画面を切り替える指令を出す。または終了する。」に進む。処理ステップ６２０では出力中の音声（Ｄｓをデコードしたもの）を停止し、操作指令入力の実行を行う。この場合は前記“開始”を実行する。それから画面を切り替える指令を出すので前記処理ステップ６０２の画面の設定に戻る。次に設定される画面は前記した図２に示す画面２００が現れる。これは設置設定の最初の設定画面であり、前記したように接続ＴＶのアスペクトの違いにより、映像出力の設定を行うための設定画面である。この画面が出れば、次の処理ステップ６０３に進む。ここでは前記と同様に前記第３のＲＯＭ４０５より、図２に対応する音声データＤｓ及び文章２０１の「接続するＴＶを選び、決定ボタンを押してください。」の音声データ（図５のＤｈ６０６に相当）がＲＡＭ４０６に展開される。この以降は前記した図８の画面に対する音声データの処理と同様である。
【００４２】
以上が図６の判断ステップ６１９の「操作指令入力あり（ｙｅｓ）」から次の設置設定画面に変わるまでを説明したが「操作指令入力なし（ｎｏ）の場合は判断ステップ６２１に進む。以下判断ステップ６２１を説明する。
【００４３】
リモコンには音声ガイド開始ボタン（音声ガイドボタン）が設けてあり、このボタンを押すと如何なる場合でも現在の設定画面に対応した音声ガイドが始まる。判断ステップ６２１は「音声ガイドボタンの入力あり（ｙｅｓ）、なし（ｎｏ）」を判断するステップであるので（ｙｅｓ）の場合、次の判断ステップ６２２に進む。この時の設定画面は図８の画面８００であるので、前記した文章８０２、８０３並びに８０４が音声としてＴＶより出力される。なお、前記音声ガイドボタンにはボタンの上またはその近くに音声ガイドと分る図形（アイコン）が描かれている。そして図８の８０８に示すような前記音声ガイドボタンに描かれたと同じ図形（アイコン）が表示されている。すなわち、この図形表示のある画面は、リモコンの音声ガイドボタンをおせば何時でも、その画面における音声ガイドを受けることができることを示している。言わば初心者向けに設けられたもので画面に前記図形（アイコン）があれば、前記リモコンの音声ガイドボタンをおせばその画面における音声ガイドを受けることができるわけである。
【００４４】
一方、判断ステップ６２１において、「音声ガイドボタン入力なし（ｎｏ）」の場合は判断ステップ６１９に戻り、前記したステップをくりかえすが、前記したＴｓ期間に、操作指令入力及び音声ガイドボタン入力がなければ前記ステップ６１８において「Ｄｓをデコードし、音声出力が終了したか（ｙｅｓ）」の状態になる。すなわちＴｓ時間が経過し、次の判断ステップ６２２に進む。この判断ステップ６２２は音声ガイドを実行するステップである。使用者は図８の画面を見て、文章８０２及び８０３辺りを読んでいる最中にこの音声ガイドが始まるわけである。使用者はそれを聞いて画面に在る説明文と同じことを言っていることがわかり、より理解が深まる。
【００４５】
判断ステップ６２２において、「音声ガイドを開始する。画面に対応するＤｆとかＤｈとかをデコードし、音声出力中か（ｎｏ）、終了したか（ｙｅｓ）」は音声ガイドを開始して、音声ガイド中であれば、（ｎｏ）の方向へ、音声ガイドを終了すれば、（ｙｅｓ）の方向へ進む。すなわち図８の画面においては前記Ｄｆ１、Ｄｆ２並びにＤｆ３を第２のデコーダでデコードした音声が、音声出力部より、接続ケーブル１０４を介してＴＶ１０３に送られ、ＴＶからは前記した音声ガイドが鳴らされる。音声ガイドがなされている最中が（ｎｏ）、終了が（ｙｅｓ）である。
【００４６】
判断ステップ６２２において、「音声出力中か（ｎｏ）（音声ガイド中か）」の場合は判断ステップ６２３に進む。判断ステップ６２３以降のステップは前記点線６２９で囲まれたステップと機能的には全く同じである。すなわち音声ガイド中において、判断ステップ６２３にて、「操作指令入力あり（ｙｅｓ）、なし（ｎｏ）」により、あり（ｙｅｓ）の場合は、処理ステップ６２４の「音声出力を停止し、操作を実行する。操作画面を切り替える指令を出す。または終了する。」に進む。この場合の音声出力は音声ガイドである。処理ステップ６２４の意味するところは音声ガイド中に操作指令入力があれば、その音声ガイドを停止し、操作を実行する。そしてこの場合は操作画面を切り替える指令を出すことにより、処理ステップ６０２の「画面の設定」に戻り、前記したように図２に示す設置設定の画面に変わる。以降の処理は前記した通りである。
【００４７】
一方、「操作指令入力なし（ｎｏ）」の場合は判断ステップ６２５に進む。この判断ステップ６２５は「音声ガイドボタンの入力あり（ｙｅｓ）、なし（ｎｏ）」の判断で前記判断ステップ６２１と同じである。以降の処理は前記した通りである。
【００４８】
前記判断ステップ６２２によって、音声ガイドが実行され、その最中において、前記操作指令入力、及び音声ガイドボタン入力がなく、音声ガイドが終了すると、判断ステップ６２２では、「音声出力終了したか（ｙｅｓ）」になるので、次の判断ステップ６２６に進む。ここでは音声ガイドは終了しているので、音声ガイドのない無音状態で、使用者はどうしたらよいかを考える。そして、前記“開始”８０５を選択し、決定ボタンを押せばよいことがわかれば、それを実行する。それが判断ステップ６２６「操作指令入力あり（ｙｅｓ）」である。この場合は処理ステップ６２７に進む。処理ステップ６２７は「操作を実行する。操作画面を切り替える指令を出す。または終了する。」ことである。ここでは音声ガイドはしていないので音声ガイドを停止する必要はなく、前記“開始”の実行がなされて、前記図２に示す設置設定の画面に切り替える指令を出す。この指令によって、処理ステップ６０２の「画面の設定」に戻り、前記したように図２に示す設置設定の画面に変わる。以降の処理は前記した通りである。
【００４９】
しかしながら、前記音声ガイドが終了してからも、まだどうしてよいかわからない場合は、もう一度、音声ガイドを受けることができる。それが判断ステップ６２８である。すなわち、前記判断ステップ６２６において「操作指令入力なし（ｎｏ）」の状態であり、判断ステップ６２８に進んでくる。判断ステップ６２８では前記したように「音声ガイドボタンの入力あり（ｙｅｓ）、なし（ｎｏ）」の判断をするステップであり、「音声ガイドボタン入力あり（ｙｅｓ）」の場合は判断ステップ６２２に戻り、再度前記した音声ガイドが実行される。この後は前記したステップが回る。
【００５０】
一方、「音声ガイドボタン入力なし（ｎｏ）」は前記判断ステップ６２６に戻り、操作指令入力または音声ガイドボタン入力があるまで待ち続ける。
【００５１】
ここまでは使用者は迷うことはなく、使用者は“開始”を選択し、決定ボタンを押すと考えられるが、どうしても迷って、音声ガイドが終了してＴａ（＝６０秒〜１２０秒）時間、何の操作入力もなければ初期画面に戻し、最初からやり直してもらうことを行えばよい。
【００５２】
以上は設置設定の場合の音声ガイドシステムである。説明したのは図８に示した設置設定の画面から始まり、操作指令入力として、“開始”を選択する選択ボタン（△印のボタン）と決定ボタンを押して、次の設定画面（図２の画面）に移ることは述べたがその後どのようにステップが進むかをもう少し説明する。前記のように処理ステップ６２０、処理ステップ６２４並びに処理ステップ６２７においては処理ステップ６２０および処理ステップ６２４は、「音声出力を停止し」が最初にあるが後の「操作を実行する。操作画面を切り替える指令を出す。または終了する。」は共通である。違いは音声出力中であればそれを停止してから操作を実行する違いだけである。いずれにしろ操作を実行して、操作画面を切り替える指令を出し、処理ステップ６０２に戻る。この意味は設置設定の第一の画面は図８の設置画面（“開始”画面）であり、この設定が行われた後は図２に示す設置画面（“アスペクト”画面）に変わり、処理ステップ６０３以降のステップが行われる。前記したように図２の画面が現れると、使用者はまず、文章２０１の「接続するテレビの種類を選び、決定ボタンを押してください。」を読む。そして、Ｔｓ経てば前記図２に対応する判断ステップ６２２による音声ガイドが始まる。以降は前記の通りである。こうして、図２の画面の設定が完了すれば、さらに次の設置設定画面に変わる。図示はしてないがチューナーの選局設定などがある。このように設置設定には幾つかある。すべての設置設定が終了すれば処理ステップ６２０、処理ステップ６２４並びに処理ステップ６２７における「操作を実行する。操作画面を切り替える指令を出す。または終了する。」の「または終了する。」になり、設置設定のループは終了し、初期画面にもどる。
【００５３】
以上が設置設定の場合である。もう一つの設定であるタイマー予約について説明する。前記したように初期画面からまずリモコンの機能選択ボタンを押せば、図７に示す設定選択画面７００がＴＶ画面に現れる。この画面７００においてタイマー予約７０２を選択ボタン７０９で選び、決定ボタンをおせば、図９に示すタイマー予約画面（１）９００がＴＶ画面に現れる。この画面はタイマー予約の確認画面でもあり、既に予約された内容が表示されている。始めて使用する場合、予約内容は表示されていない。９０１は予約番号であり、行毎に予約した順番に並ぶ。９０９の行が０１番、９１０の行が０２番である。予約を追加すればこの番号が増えていく。９０２の録画日、９０３のＣＨ、９０４の開始、９０５の終了、９０６のモード並びに９０７の録画先は図３で説明した通りである。各欄にそれぞれＣＨ番号、時刻等が示されている。
【００５４】
新規に予約をする場合は９１１の行に示す新規予約を選び、決定ボタンを押せば、図１０に示すタイマー予約画面（２）１０００に変わる。図１０に示すタイマー予約画面は前記した図３のタイマー予約画面と同じようなものであるが、図１０はこれから全く新しく記録日から始めてＣＨ、開始時刻、終了時刻等々を設定して行く画面を示している。図３のタイマー予約画面は予め設定してあった予約を変更して、新しい予約内容に変える場合と考えてもよい。
【００５５】
ここではタイマー予約の新規予約をする場合の音声ガイドを説明する。タイマー予約の新規予約は図９に示す設定画面からはじまる。図６のフローチャートにおいて、前記処理ステップ６０２の「画面の設定及び画面の変更」によって、まず図９に示す設定画面をＴＶ画面に出す。図４に示す回路ブロックでの画面の設定についての動作は前記した通りである。この画面が現れると次にこの画面に対応した音声データが第３のＲＯＭ４０５から取り出され、ＲＡＭ４０６に展開される。この場合、図５に示す音声データＤｗ５０２が呼び出される。この音声データＤｗは時間Ｔｗ（＝４秒〜８秒の定めた時間例えば６秒）間無音または某の音をデジタル化し圧縮したデータである。この場合、前記した設置設定でのＴｓ（＝１秒）間無音または某の音の音声データＤｓではなく、Ｄｗを使うのは無音または某の音が音声出力として出されているＴｗ（＝６秒）間の後、音声ガイドを始めるためである。こうすることによって、音声ガイドが始まる前に、画面だけ見ながら操作ができることになる。熟練者にとって、音声ガイドがなくても操作ができることからこのような設定にしている。
前記音声データＤｗを第２のデコーダ４０９を通せばＴｗ間、無音または某の音になり、前記ＴＶより、Ｔｗ間、無音であるかまたは某の音が出力されることになる。ＲＡＭ４０６にはＤｗ５０２の次には図５に示すＤｉ５０７が展開される。このＤｉ５０７は図９における音声ガイドである。すなわち音声データＤｉ５０７は図９に示す文章９１４の「新規予約を選んで、決定ボタンを押してください」の音声がデジタル化され圧縮されたものである。
【００５６】
このようにして処理ステップ６０３は図９の画面に対応する音声データＤｗ、ＤｉをＲＡＭに展開し、つぎの判断ステップ６０４に進む。判断ステップ６０４は先頭の音声データが前記Ｄｓか今回のＤｗかによって処理ルートを分けるものでＤｗの場合は（ｎｏ）の方向に進み、判断ステップ６０５に入る。判断ステップ６０５は「Ｄｗ及びそれに続くＤｉ又はＤｋ又はＤｎをデコードし、音声を出力中か（ｎｏ）、終了したか（ｙｅｓ）」を問うステップである。すなわち図９に示す画面９００がＴＶに現れている時は音声データＤｗに引き続いて音声ガイドの音声データＤｉがデコードされ、音声出力としてＴＶから出力されるステップである。これらの音声の出力中は（ｎｏ）の方向であるので判断ステップ６０６に進む。判断ステップ６０６は「操作指令入力あり（ｙｅｓ）、なし（ｎｏ）」を問うている。「操作指令入力あり（ｙｅｓ）」の場合は、図９のタイマー予約の画面における“新規予約”を選んで決定ボタンを押すことを意味し、（ｙｅｓ）の方向である処理ステップ６０７に進む。処理ステップ６０７は前記処理ステップ６２０等と同じような処理である。この場合前記Ｄｗのデコード中であれば、無音である。Ｄｉのデコード中は音声ガイドがなされている。前記した「新規予約を選んで、決定ボタンを押してください」が音声としてＴＶから鳴らされる。そして、前記入力があった時点でそのデコードを停止し、次の操作画面すなわち、新規の予約画面である図１０に示す画面に切り替える指令を出す。これによって、ループは前記処理ステップ６０２の「画面の設定及び画面の変更」に戻る。処理ステップ６０２では次の処理が行われる。
【００５７】
第２のＲＯＭ４０５から図１０の画面を出す映像データをＲＡＭ４０６に展開し、ＲＡＭ４０６からの映像データを第１のデコーダ４０７でデコードし、映像出力部４０９を通すことによって、ＴＶ画面には、図９のタイマー予約画面（１）から図１０にタイマー予約画面（２）に変わる。図１０の画面に変わってからの操作および処理については後述する
一方、判断ステップ６０６の「操作指令入力なし（ｎｏ）」の場合は入力がないということであるので（ｎｏ）の方向である判断ステップ６０５に戻る。これは操作指令入力がなければ、前記Ｄｗ及びＤｉのデコードが終了するまでこのループが回っている。
【００５８】
さて、前記したように最初にＤｗのデコードをして、無音の期間Ｔｗ（＝６秒）を持ちその後、Ｄｉをデコードして音声ガイドを行っているのは、熟練した使用者は音声ガイドを聞かなくても操作ができるので、この場合は図９の画面がでれば、すぐに“新規予約”を選んで決定ボタンを押す。そうすると直に前記したように図１０の画面に変わる。ところが初心者あるいはこのような設定になれていない方はとうしていいかわからず悩んでいるとＴｗ期間のあと音声ガイドがあるので、理解され、“新規予約”を選んで決定ボタンを押す。音声ガイド中に、前記ボタンが押されれば、音声ガイドを停止し、前記したように処理ステップ６０７を行い、図１０の画面に変更する。
【００５９】
つぎに前記判断ステップ６０５において音声データＤｗ及びＤｉのデコードが終了する。
すなわち無音期間が過ぎ、音声ガイドが終了すると判断ステップ６０５は（ｙｅｓ）の方向になり次の判断ステップ６０８に進む。判断ステップ６０８は、音声ガイドは終わったけれどもなおどうしてよいかわからない人に対して、もう１度音声ガイドを行うためのステップである。
【００６０】
前記したように、リモコンには音声ガイド開始ボタン（音声ガイドボタン）が設けてあり、このボタンを押すと如何なる場合でも現在の設定画面に対応した音声ガイドが始まる。そして前記音声ガイドボタンにはボタンの上またはその近くに音声ガイドとわかる図形（アイコン）が描かれている。そして図９の９１９に示すような前記音声ガイドボタンに描かれたと同じ図形（アイコン）が表示されている。
【００６１】
よって判断ステップ６０８では音声ガイドボタン入力あり、すなわち音声ガイドボタンが押されれば（ｙｅｓ）の方向の判断ステップ６１１に進む。判断ステップ６１１は図９の画面に対応した音声ガイド「新規予約を選んで、決定ボタンを押してください」の音声をＴＶから流す。
【００６２】
一方、判断ステップ６０８の「音声ガイドボタン入力なし（ｎｏ）」の場合は無音のままで操作指令入力を待つ判断ステップ６０９に進む。ここでは前記したように操作指令入力があれば「操作を実行する。操作画面を切り替える指令を出す。または終了する。」ことになり、前記説明通りである。「なし（ｎｏ）」の場合は、判断ステップ６０８に戻り、操作指令入力を待つループとなる。長い間操作指令入力がない場合は前記したようにリセットし初期画面に戻す等する。
【００６３】
判断ステップ６１１において、音声ガイド中においては、（ｎｏ）の方向であるので判断ステップ６１２に進む。この判断ステップ６１２、処理ステップ６１３並びに判断ステップ６１４の構成は前記点線内６２９の構成と全く同じである。すなわち操作指令入力及び音声ガイドボタン入力待ちのループであり、どちらかの入力があればそれを実行する。また、判断ステップ６１１において、音声ガイダンスが終了すれば（ｙｅｓ）の方向であるので、判断ステップ６１５にすすむ。これは判断ステップ６１２、処理ステップ６１３並びに判断ステップ６１４の構成と殆ど同じであり、音声ガイドが終わっているので音声ガイドを停止する動作がないだけである。
【００６４】
つぎに、前記した処理ステップ６０７、６１０、６１３並びに６１６の次のステップは
処理ステップ６０２にもどり、図１０の画面に変わることを説明した。
【００６５】
図１０の画面に変わると、処理ステップ６０３によって、図１０の画面に対応した音声データがＲＡＭ４０６に展開される。この音声データは、最初に図５に示す音声データＤｗ５０２である前記した無音または某の音、次は図１０の文章１００７にある「上下ボタンによって、録画日を設定できます。」の音声データすなわち図５に示す音声データＤｋ５０８の順序で展開される。その後は前記したと同様に判断ステップ６０４では（ｎｏ）であるので、判断ステップ６０５に進む。そして、録画日の設定が終了すれば、文章１００７が「ＣＨを設定するには右ボタンを押してください」と言うような文章にかわる。このようにして、ＣＨ、そして、開始時間の設定が行われるが、各設定がすべて、音声データＤｗがデコード中に行われれば（操作指令入力あり）、音声ガイドを聞かなくて操作が終了する。全ての設定が終了すれば、図１０の文章１００９にある「予約を登録するには決定ボタンを押してください。」がタイマー予約の最後の音声データとなる。図５に示す音声データＤｎ６０９がそれである。
【００６６】
以上のようにタイマー予約の場合は、設定操作を覚えてしまうと、音声ガイドなしで、スムーズに設定ができ、登録が完了する。もし、初心者において、どうして良いか分らないとき、適度な待ち時間（６秒）の後音声ガイドが行われ、また必要なとき何時でも音声ガイドを受けることができる。
【００６７】
ところで、前記Ｔｓ期間無音または某の音の音声データＤｓ及びＴｗ期間無音または某の音の音声データＤｗは次のようにしても作成できる。
【００６８】
まず、図５に示すＤｓ５０１及びＤｗ５０２の代りにＴｓｔ（＝１秒）の無音または某の音の音声データＤｓｔを用意する。そうすれば、実施例で示したＴｓ=１秒の場合は前記Ｄｓｔを１回ＲＡＭ４０６に展開すればＤｓと同じことになる。また、実施例で示したＴｗ=６秒の場合は前記Ｄｓｔを６回ＲＡＭに展開すればＤｗと同じことになる。このようにＴｓおよびＴｗの最大公約数またはそれ以下の約数であるＴｓｔ期間無音または某の音の音声データＤｓｔを１個用意すれば、それに必要な期間を作るだけＤｓｔを読み出すプログラム（第１のＲＯＭ４０３にメモリーされている）に従って、コントローラ４０１によりコントロールされ、前記したＤｓおよびＤｗをデコードすると同様な結果が得られる。
【産業上の利用可能性】
【００６９】
本発明は前記したビデオレコーダー等のＡＶ機器ばかりでなく、音声と画像が出力できる機器例えば、ＴＶ受像機そのもの、携帯電話並びにカーナビゲータ等であればどのような用途にも適用できる。
【図面の簡単な説明】
【００７０】
【図１】本発明の実施の形態におけるシステム全体図
【図２】本発明の実施の形態において音声ガイドを行う時のＴＶに表示される画面例を表した図
【図３】本発明の実施の形態において音声ガイドを行う時のＴＶに表示される別の画面例を表した図
【図４】本発明の実施の形態の回路ブロック図
【図５】本発明の実施の形態における、ＲＯＭメモリーに記憶されている複数の音声信号データテーブルとそのデータの音声ガイド内容を示す図
【図６】本発明の実施の形態の音声ガイドシステムのフローチャート
【図７】本発明の実施の形態における、各種設定を行う際の最初に現れる設定選択画面例を表した図
【図８】本発明の実施の形態における、設置設定の最初の画面例を表した図
【図９】本発明の実施の形態における、タイマー予約画面の最初の設定画面例を表した図
【図１０】本発明の実施の形態における、タイマー予約の新規予約画面例を表した図
【符号の説明】
【００７１】
１０１    ビデオレコーダー
１０２    リモコン
１０３    ＴＶモニター（ＴＶ）
１０４    接続ケーブル
１０５    ＤＶＤ装着トレー開口部
１０６    操作ボタン群
１０７    赤外光線受光部
１０８    第１の操作指令ボタン群
１０９    第２の操作指令ボタン群
１１０    ＴＶの画面
２００    設置設定の画面
３００    タイマー予約の画面
４０１    コントローラ（ＣＰＵ）
４０２    操作入力部
４０３    第１のＲＯＭ
４０４    第２のＲＯＭ
４０５    第３のＲＯＭ
４０６    ＲＡＭ
４０７    第１のデコーダ
４０８    映像出力部
４０９    第２のデコーダ
４１０    音声出力部
４１１    デッキ部
５００    音声信号データ（音声データ）
６００    音声ガイドシステムフローチャート
７００    設定選択画面
８００    設置設定画面
９００    タイマー予約画面（１）
１０００    タイマー予約画面（２）
【図１】
2007065445.tif 000003
【図２】
2007065445.tif 000004
【図３】
2007065445.tif 000005
【図４】
2007065445.tif 000006
【図５】
2007065445.tif 000007
【図６】
2007065445.tif 000008
【図７】
2007065445.tif 000009
【図８】
2007065445.tif 000010
【図９】
2007065445.tif 000011
【図１０】
2007065445.tif 000012